(57)【要約】【課題】写真シール作成装置から取得した写真シール関連情報によって特定されるユーザの特性に応じて、ユーザに好適な情報を提供できる情報処理装置を実現する。【解決手段】写真シール関連情報を取得する情報取得部（４１１）と、上記写真シール関連情報をユーザ情報に関連付けて管理する第１の管理部（４１２）と、少なくとも１つのグループにグループＩＤを付与するグループＩＤ付与部（４１３）とを備えている。【選択図】図１
2020013421.tif 000002
【特許請求の範囲】
【請求項１】
写真シール作成装置から写真シール関連情報を取得する情報取得部と、
上記写真シール関連情報をユーザ情報に関連付けて管理する第１の管理部と、
上記写真シール関連情報を含む情報を参照して各ユーザをグループ分けし、少なくとも１つのグループにグループＩＤを付与するグループＩＤ付与部と
を備えていることを特徴とする情報処理装置。
【請求項２】
上記ユーザに対して提示するための、端末装置に表示する表示要素を作成する表示要素作成部と、
上記グループＩＤと上記表示要素とを関連付けて管理する第２の管理部と、
上記ユーザの上記グループＩＤに応じて、上記表示要素を切り替える表示要素切り替え部とを更に備えている
ことを特徴とする請求項１に記載の情報処理装置。
【請求項３】
上記写真シール関連情報は、シールの保存履歴情報、撮影日時情報、撮影枚数情報、撮影頻度情報、およびこれらの情報を加工して得られる統計的情報のうち少なくとも１つの情報を含む
ことを特徴とする請求項１または２に記載の情報処理装置。
【請求項４】
上記ユーザ情報は、サービスサイト関連情報を含み、
上記グループＩＤ付与部は、上記サービスサイト関連情報を更に参照して各上記ユーザをグループ分けし、少なくとも１つの上記グループに上記グループＩＤを付与する
ことを特徴とする請求項１〜３の何れか１項に記載の情報処理装置。
【請求項５】
上記サービスサイト関連情報は、サービスサイトへの入会履歴情報、上記サービスサイトへの訪問履歴情報、アカウントＩＤ情報、スクリーンビュー関連情報、フォロー関連情報、ＳＮＳ関連情報、アルバム関連情報、プリモ関連情報、およびランキング関連情報のうち少なくとも１つを含む
ことを特徴とする請求項４に記載の情報処理装置。
【請求項６】
上記サービスサイトへの入会履歴情報は、上記サービスサイトへの現在までの入会件数情報、上記サービスサイトへの入会日情報、および上記サービスサイトへの入会日からの現在までの経過日数情報のうち少なくとも１つを含む
ことを特徴とする請求項５に記載の情報処理装置。
【請求項７】
上記サービスサイトへの訪問履歴情報は、所定の期間における、サービスサイトへの訪問日数、サービスサイトへの訪問回数、およびサービスサイトへの滞在時間の少なくとも何れかを含む
ことを特徴とする請求項５または６に記載の情報処理装置。
【請求項８】
上記ユーザ情報は、年齢情報を含み、
上記グループＩＤ付与部は、上記年齢情報を更に参照して各上記ユーザをグループ分けし、少なくとも１つの上記グループに上記グループＩＤを付与する
ことを特徴とする請求項１〜７の何れか１項に記載の情報処理装置。
【請求項９】
ユーザに対して提示するための、端末装置に表示する表示要素を作成する表示要素作成部と、
上記ユーザが属するグループに付与されたグループＩＤと上記表示要素とを関連付けて管理する第２の管理部と、
上記ユーザの上記グループＩＤに応じて、上記表示要素を切り替える表示要素切り替え部とを備えている
ことを特徴とする情報処理装置。
【請求項１０】
情報処理装置と、端末装置とを備える撮影画像管理システムであって、
上記情報処理装置は、
写真シール作成装置から写真シール関連情報を取得する情報取得部と、
上記写真シール関連情報をユーザ情報に関連付けて管理する第１の管理部と、
上記写真シール関連情報を含む情報を参照して各ユーザをグループ分けし、少なくとも１つのグループにグループＩＤを付与するグループＩＤ付与部と、
上記ユーザに対して提示するための、端末装置に表示する表示要素を作成する表示要素作成部と、
上記グループＩＤと上記表示要素とを関連付けて管理する第２の管理部と、
を備え、
上記端末装置は、
上記ユーザの上記グループＩＤに応じて、上記表示要素を切り替える表示要素切り替え部を備えている
ことを特徴とする撮影画像管理システム。
【請求項１１】
ユーザが属するグループに付与されたグループＩＤを取得するグループＩＤ取得部と、
上記グループＩＤと関連付けられた表示要素を取得する表示要素取得部と、
上記ユーザの上記グループＩＤに応じて、上記表示要素を切り替える表示要素切り替え部とを備えている
ことを特徴とする端末装置。
【請求項１２】
情報処理装置によって実行される情報処理方法であって、
写真シール作成装置から写真シール関連情報を取得する情報取得ステップと、
上記写真シール関連情報をユーザ情報に関連付けて管理する第１の管理ステップと、
上記写真シール関連情報を含む情報を参照して各ユーザをグループ分けし、少なくとも１つのグループにグループＩＤを付与するグループＩＤ付与ステップと
を含むことを特徴とする情報処理方法。
【請求項１３】
請求項１に記載の情報処理装置としてコンピュータを機能させるための情報処理プログラムであって、上記グループＩＤ付与部としてコンピュータを機能させるための情報処理プログラム。
【請求項１４】
請求項２に記載の情報処理装置としてコンピュータを機能させるための情報処理プログラムであって、上記表示要素切り替え部としてコンピュータを機能させるための情報処理プログラム。
【請求項１５】
請求項１１に記載の端末装置としてコンピュータを機能させるための情報処理プログラムであって、上記表示要素切り替え部としてコンピュータを機能させるための情報処理プログラム。
【請求項１６】
請求項１３〜１５の何れか１項に記載の情報処理プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る情報処理装置などに関する。
【背景技術】
【０００２】
「会員種別毎」、「通信キャリア毎」、「世代毎」等によるユーザをグループ分けし、ユーザのグループ毎に、異なる情報を提供する方法が従来技術として知られている。例えば、特許文献１には、ユーザに応じて、適切なコンテンツを配信する配信装置が開示されている。
【先行技術文献】
【特許文献】
【０００３】
【特許文献１】特開２０１７−３７６３０号公報
【発明の概要】
【発明が解決しようとする課題】
【０００４】
しかしながら、上述のような従来技術は、「会員種別毎」、「通信キャリア毎」、「世代毎」といった大まかなグループ分けしか行えていないため、ユーザに提供する情報が好適なものではない場合がある。
【０００５】
本発明の一態様は、写真シール作成装置から取得した写真シール関連情報を参照して特定されるユーザの傾向に応じて、各ユーザを好適にグループ分けできる情報処理装置を実現することを目的とする。
【課題を解決するための手段】
【０００６】
上記の課題を解決するために、本発明の一態様に係る情報処理装置は、写真シール作成装置から写真シール関連情報を取得する情報取得部と、上記写真シール関連情報をユーザ情報に関連付けて管理する第１の管理部と、上記写真シール関連情報を含む情報を参照して各ユーザをグループ分けし、少なくとも１つのグループにグループＩＤを付与するグループＩＤ付与部とを備えている。
【０００７】
上記の課題を解決するために、本発明の一態様に係る情報処理装置は、ユーザに対して提示するための、端末装置に表示する表示要素を作成する表示要素作成部と、ユーザが属するグループに付与されたグループＩＤと上記表示要素とを関連付けて管理する第２の管理部と、上記ユーザの上記グループＩＤに応じて、上記表示要素を切り替える表示要素切り替え部とを備えている。
【０００８】
上記の課題を解決するために、本発明の一態様に係る撮影画像管理システムは、情報処理装置と、端末装置とを備える撮影画像管理システムであって、上記情報処理装置は、写真シール作成装置から写真シール関連情報を取得する情報取得部と、上記写真シール関連情報をユーザ情報に関連付けて管理する第１の管理部と、上記写真シール関連情報を含む情報を参照して各ユーザをグループ分けし、少なくとも１つのグループにグループＩＤを付与するグループＩＤ付与部と、上記ユーザに対して提示するための、端末装置に表示する表示要素を作成する表示要素作成部と、上記グループＩＤと上記表示要素とを関連付けて管理する第２の管理部と、を備え、上記端末装置は、上記ユーザの上記グループＩＤに応じて、上記表示要素を切り替える表示要素切り替え部を備えている。
【０００９】
上記の課題を解決するために、本発明の一態様に係る端末装置は、ユーザが属するグループに付与されたグループＩＤを取得するグループＩＤ取得部と、上記グループＩＤと関連付けられた表示要素を取得する表示要素取得部と、上記ユーザの上記グループＩＤに応じて、上記表示要素を切り替える表示要素切り替え部とを備えている。
【００１０】
上記の課題を解決するために、本発明の一態様に係る情報処理方法は、情報処理装置によって実行される情報処理方法であって、写真シール作成装置から写真シール関連情報を取得する情報取得ステップと、上記写真シール関連情報をユーザ情報に関連付けて管理する第１の管理ステップと、上記写真シール関連情報を含む情報を参照して各ユーザをグループ分けし、少なくとも１つのグループにグループＩＤを付与するグループＩＤ付与ステップとを含む。
【発明の効果】
【００１１】
本発明の一態様によれば、写真シール作成装置から取得した写真シール関連情報を参照して特定されるユーザの傾向に応じて、各ユーザを好適にグループ分けできる。
【図面の簡単な説明】
【００１２】
【図１】本発明の第１実施形態に係る撮影画像管理システムの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置から取得される写真シール関連情報、サービスサイト関連情報、年齢情報、およびグループＩＤの一例を示す表である。
【図１２】（ａ）および（ｂ）は、グループＩＤである入会フラグに応じて切り替えられる表示要素の一例を示す図である。
【図１３】本発明の第１実施形態に係るサーバの制御部における、情報取得処理から表示要素切り替え処理の流れの一例を示すフローチャートである。
【図１４】本発明の第２実施形態に係る撮影画像管理システムの要部構成を示すブロック図である。
【発明を実施するための形態】
【００１３】
〔実施形態１〕
本発明の第１実施形態について、図１〜図１４を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００１４】
（撮影画像管理システム１０）
図１は、本発明の第１実施形態に係る撮影画像管理システム１０の要部構成を示すブロック図である。図２は、本発明の第１実施形態に係る撮影画像管理システム１０の構成を示す図である。図１および図２に示すように、撮影画像管理システム１０は、写真シール作成装置１、端末装置６、および管理サーバ（情報処理装置）４を備えている。
【００１５】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する端末装置６を操作することによって、自身の撮影画像を画像提供サイトに保存することができる。
【００１６】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００１７】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００１８】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００１９】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の端末装置６においてこのメールを受信する。メールには、画像を画像提供サイトに保存するための手順が、記載されている。ユーザは、その手順に従い、画像を保存するための操作を端末装置６に対して行う。この結果、画像提供サイトにおけるユーザ専用の画像記憶領域に、画像が保存される。
【００２０】
画像提供サイトへの画像保存後、ユーザは、端末装置６または所望の他の装置を用いて画像提供サイトにログインして、画像をダウンロードすることができる。
【００２１】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２２】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２３】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００２４】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００２５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００２７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００２８】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００２９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３０】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００３１】
図３に示す編集部１２の構成を正面側の構成とすると、２組のユーザが同時に編集することができるように、編集部１２の正面側と背面側には編集制御に用いられる構成がそれぞれ設けられる。
【００３２】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３４】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００３５】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００３６】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００３７】
（ユーザの移動）
写真シール作成ゲームの流れと、それに伴うユーザの移動について図５を参照して説明する。図５は、ユーザの移動について説明する図である。
【００３８】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００３９】
なお、ユーザの画像の撮影においては、すべての撮影がシール紙に印刷される画像を撮影するものとは限らず、端末装置６に送信するため（または、端末装置６において閲覧可能なように、管理サーバ４に送信するため）にのみ撮影される場合もある。これは、印刷される画像と端末装置６に送信される画像との間でユーザの嗜好が異なることがあるためであり、ユーザの撮影時において、端末装置６への送信を意識した撮影をしたいユーザの意向にこたえるものである。
【００４０】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４２】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４３】
画像の印刷が終了したとき、ユーザは、事後接客部１３に設けられた排出口からシール紙を受け取り、一連の写真シール作成ゲームを終えることになる。
【００４４】
（各部材の構成）
次に、写真シール作成装置１に備えられる各部材の構成について説明する。
【００４５】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００４６】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００４７】
正面パネル４１のほぼ中央には撮影・表示ユニット８１が設けられる。撮影・表示ユニット８１は、カメラ９１、正面ストロボ９２、およびタッチパネルモニタ９３から構成される。
【００４８】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００４９】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５１】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５２】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５３】
足元ストロボ８６の右側には、ユーザがお金を投入する硬貨投入返却口８７が設けられる。
【００５４】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００５５】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００５６】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００５７】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００５８】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００５９】
なお、編集部１２において行われる画像の編集は、すべてが印刷される画像に対する編集であるとは限らず、ユーザが端末装置６への送信のみを想定している画像（つまり、印刷されない画像）に対する編集である場合もある。これは、印刷される画像と端末装置６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６０】
（事後接客部１３）
編集部１２の左側には事後接客部１３が設けられる。図９は、写真シール作成装置１に備えられる事後接客部１３の構成例を示す図である。
【００６１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６２】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６３】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００６４】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００６５】
スピーカ１６５は、事後接客時の案内音声、ＢＧＭ、効果音等の音を出力する。
【００６６】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００６７】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００６８】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００６９】
通信部２０３はインターネットなどのネットワークのインタフェースであり、制御部２０１による制御に従って外部の装置と通信を行う。
【００７０】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００７１】
ＲＯＭ２０６には、制御部２０１において実行されるプログラムおよびデータが記憶されている。ＲＡＭ２０７は、制御部２０１が処理するデータおよびプログラムを一時的に記憶する。
【００７２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００７３】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００７４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００７５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００７６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００７７】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００７８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００７９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００８０】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００８１】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００８２】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を端末装置６に表示させることができる。
【００８３】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００８４】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、端末装置６を用いてＱＲコードの示すウェブページへアクセスすることにより、画像取得用ページへ直接アクセスすることもできる。
【００８５】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。通信部４０３は、写真シール作成装置１の通信部２０３から、写真シール関連情報を受信する。
【００８６】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【００８７】
（制御部４０１の詳細）
図１に示すように、制御部４０１は、情報取得部４１１、管理部４１２、グループＩＤ付与部４１３、表示要素作成部４１４、および表示要素切り替え部４１５を備えている。
制御部４０１は、図示しないが、通信制御部、メール作成部、ウェブページ作成部、画像管理部、および認証部を更に備えていてもよい。管理部４１２は、第１の管理部と、第２の管理部とを備えている。
【００８８】
なお、管理サーバ４は、情報取得部４１１、管理部４１２、およびグループＩＤ付与部４１３、または、表示要素作成部４１４、管理部４１２、および表示要素切り替え部４１５を少なくとも含んでいればよい。
【００８９】
（情報取得部）
情報取得部４１１は、写真シール作成装置１から写真シール関連情報を取得する。情報取得部４１１は、取得した写真シール関連情報を、記憶部４０２に格納する。
【００９０】
写真シール関連情報は、シールの保存履歴情報、撮影日時情報、撮影枚数情報、撮影頻度情報、およびこれらの情報を加工して得られる統計的情報のうち少なくとも１つの情報を含む。
【００９１】
シールの保存履歴情報は、所定の期間における、ユーザが写真シール作成装置１から取得してユーザの端末装置６に保存したシールの枚数情報を含む。撮影日時情報は、ユーザが写真シール作成装置１でシールを撮影した日および時刻（時分）の情報である。ユーザが写真シール作成装置１でシールを撮影した日の時刻まで特定することにより、ユーザが写真シール作成装置１でシールを撮影する時間帯の動向を把握することができる。撮影枚数情報は、所定の期間における、ユーザが写真シール作成装置１で撮影したシールの枚数情報である。撮影頻度情報は、所定の期間における、ユーザが写真シール作成装置１で撮影した日数等、ユーザが写真シール作成装置１を利用する頻度を示す情報である。所定の期間としては、例えば、１か月前から現在までの期間、２か月前から現在までの期間、サービスサイトへの入会日から現在までの期間等が挙げられる。
【００９２】
統計的情報は、後述する管理サーバ４の制御部４０１と同様に、写真シール作成装置１によって、機械学習を用いて得られた情報であってもよい。
【００９３】
制御部４０１は、情報取得部４１１から取得した写真シール関連情報を参照して、写真シールに関連する統計的情報を機械学習により算出することもできる。写真シールに関連する統計的情報を取得するための学習処理の具体的な構成は本実施形態を限定するものではないが、例えば、以下のような機械学習的手法の何れかまたはそれらの組み合わせを用いることができる。
【００９４】
・サポートベクターマシン（SVM: Support Vector Machine）
・クラスタリング（Clustering）
・帰納論理プログラミング（ILP: Inductive Logic Programming）
・遺伝的アルゴリズム（GP: Genetic Programming）
・ベイジアンネットワーク（BN: Baysian Network）
・ニューラルネットワーク（NN: Neural Network）
ニューラルネットワークを用いる場合、データをニューラルネットワークへのインプット用に予め加工して用いるとよい。このような加工には、データの１次元的配列化、または多次元的配列化に加え、例えば、データアーギュメンテーション（Deta Argumentation）等の手法を用いることができる。
【００９５】
また、ニューラルネットワークを用いる場合、畳み込み処理を含む畳み込みニューラルネットワーク（CNN: Convolutional Neural Network）を用いてもよい。より具体的には、ニューラルネットワークに含まれる１または複数の層（レイヤ）として、畳み込み演算を行う畳み込み層を設け、当該層に入力される入力データに対してフィルタ演算（積和演算）を行う構成としてもよい。またフィルタ演算を行う際には、パディング等の処理を併用したり、適宜設定されたストライド幅を採用したりしてもよい。
【００９６】
また、ニューラルネットワークとして、数十〜数千層に至る多層型または超多層型のニューラルネットワークを用いてもよい。
【００９７】
（管理部）
管理部４１２は、第１の管理部として、写真シール関連情報をユーザ情報に関連付けて管理する。第１の管理部は、ユーザ情報とグループＩＤとの関連付け情報を、記憶部４０２に格納する。
【００９８】
ユーザ情報は、サービスサイト関連情報および年齢情報の少なくとも何れかを含んでいることが好ましく、サービスサイト関連情報および年齢情報を含んでいることがより好ましい。
【００９９】
サービスサイト関連情報は、サービスサイトへの入会履歴情報、サービスサイトへの訪問履歴情報、アカウントＩＤ情報、スクリーンビュー関連情報、フォロー関連情報、ＳＮＳ関連情報、アルバム関連情報、プリモ関連情報、およびランキング関連情報のうち少なくとも１つを含む。
【０１００】
サービスサイトへの入会履歴情報は、サービスサイトへの現在までの入会件数情報、サービスサイトへの入会日情報、およびサービスサイトへの入会日からの現在までの経過日数情報のうち少なくとも１つを含む。サービスサイトへの入会履歴情報は、無料会員としてのサービスサイトへの入会履歴情報であってもよいし、有料会員としてのサービスサイトへの入会履歴情報であってもよい。サービスサイトへの現在までの入会件数が２回以上である場合、サービスサイトへの入会日は、最新の入会日であってもよいし、過去の入会日であってもよい。
【０１０１】
サービスサイトへの訪問履歴情報は、所定の期間における、サービスサイトへの訪問日数、サービスサイトへの訪問回数、およびサービスサイトへの滞在時間の少なくとも何れかを含む。所定の期間としては、例えば、１か月前から現在までの期間、２か月前から現在までの期間、サービスサイトへの入会日から現在までの期間等が挙げられる。
【０１０２】
また、上述したアカウントＩＤ情報は、ユーザごとに一意に割り振られた数字情報である。
【０１０３】
また、上述したスクリーンビュー関連情報は、マイページ情報、タイムラインページ情報、未整理プリページ情報等に関連する情報である。
【０１０４】
マイページ情報は、サービスサイトのマイページに関連する情報である。「マイページ」とは、ユーザ毎に作成される各ユーザ固有のサービスサイトのウェブページである。具体的には、マイページは、ユーザがサービスサイト上で所有するシール（ユーザがサービスサイトに保存したシール）を閲覧するためのウェブページである。また、マイページには、ユーザの会員ステータスが表示される。また、マイページから、タイムラインページ、未整理プリページ等に遷移することができる。
【０１０５】
タイムラインページ情報は、サービスサイトのタイムラインページに関連する情報である。「タイムラインページ」とは、ユーザ自身のアルバムおよび特定の他のユーザの公開アルバムが時系列で掲載されているサービスサイトのウェブページである。具体的に、上記特定の他のユーザとは、ユーザがフォローしているユーザである。すなわち、ユーザは、他のユーザをフォローすることにより、タイムラインページにおいて、フォローしているユーザの所有する公開アルバムに含まれるシールを閲覧することができる。また、タイムラインページに掲載されるシールは、写真シール作成装置１が生成したシールだけである。タイムラインページ情報は、タイムラインページへのアクセス履歴情報、ユーザが閲覧したタイムラインページに掲載されるシールの枚数情報等を含む。
【０１０６】
ここで、「フォロー」とは、ユーザ間の一方的な関係であり、ユーザは、フォローしている他のユーザの所有するアルバムのうち、公開アルバム内のシールを閲覧することができる。なお、ユーザが他のユーザをフォローする場合、原則、他のユーザの承認が必要である。すなわち、ユーザが他のユーザにフォローの申請を行い、他のユーザが当該申請を承認することにより、ユーザが他のユーザをフォローする関係が成立する。
【０１０７】
未整理プリページ情報は、サービスサイトの未整理プリページに関連する情報である。「未整理プリ」とは、後述するアルバムを作成して整理されていないシールのことである。未整理プリページとは、ユーザが未整理プリページへアクセスすると、未整理プリを閲覧することができるサービスサイトのウェブページである。未整理プリページ情報は、未整理プリページへのアクセス履歴情報、ユーザが閲覧した未整理プリの枚数情報、保存されている未整理プリの枚数情報等を含む。
【０１０８】
また、上述したフォロー関連情報は、他のユーザとのフォロー関係情報であり、一対一の関係において、一方的に他のユーザをフォローしているか、相互にフォローしているか、一方的に他のユーザからフォローされているかの何れかの関係を示す。
【０１０９】
また、上述したＳＮＳ関連情報は、サービスサイトのＳＮＳ機能に関連する情報である。ＳＮＳ関連情報は、ＳＮＳへの投稿数情報、ユーザの投稿に対する所定の評価（例えば「いいね」という）数情報、ユーザの投稿に対する他のユーザからのコメント数情報等を含む。
【０１１０】
また、上述したアルバム関連情報は、サービスサイトのアルバム機能に関連する情報である。アルバム機能とは、ユーザが、サービスサイト上において、ユーザ自身が所有するシールを、１または複数のシールを有するアルバムとして分類することができる機能である。アルバム関連情報は、ユーザが作成したアルバム件数情報、ユーザが作成したアルバム内のシール枚数情報等を含む。
【０１１１】
また、上述したプリモページ関連情報は、サービスサイトのプリモページに関連する情報である。プリモページは、読者モデル等の特定のユーザの所有するシールを公開するためのサービスサイトのウェブページであって、当該特定ユーザの公開専用のアルバムが掲載される。一般のユーザは、プリモページを閲覧することにより、特定のユーザの公開専用のアルバム内のシールを自由に閲覧することができる。つまり、プリモ関連情報は、ユーザが特定ユーザの公開専用のアルバム内のシールを閲覧した枚数情報等を含む。
【０１１２】
また、上述したランキングページ関連情報は、サービスサイトのランキングページに関連する情報である。ランキングページは、サービスサイトのユーザのマイページ対するアクセス数のランキング、ユーザの投稿したシール、ユーザの作成したアルバム、ユーザ自身等に対する評価（評価数または評価点数等）のランキングを表示するサービスサイトのウェブページである。上記評価は、「いいね」の数、お気に入り（クリップ）の数等であってもよい。つまり、ランキング関連情報は、サービスサイトのユーザのマイページ対するアクセス数のランキング情報、ユーザの投稿したシール、ユーザの作成したアルバム、ユーザ自身等に対する評価（評価数または評価点数等）のランキング情報等を含む。
【０１１３】
サービスサイト関連情報に含まれる情報は、直近（例えば、現在から２か月以内）の情報であってもよいし、過去（例えば、現在の２か月以前）の情報であってもよい。
【０１１４】
年齢情報は、ユーザの現在の年齢情報である。
【０１１５】
制御部４０１は、上述したサービスサイト関連情報に含まれる各情報を参照して、サービスサイトに関連する統計的情報を、上述した機械学習により算出することもできる。同様に、制御部４０１は、写真シール関連情報、サービスサイト関連情報、および年齢情報の少なくとも何れかの情報を参照して、統計的情報を、上述した機械学習により算出することもできる。
【０１１６】
（グループＩＤ付与部）
グループＩＤ付与部４１３は、写真シール関連情報を含む情報を参照して各ユーザをグループ分けし、少なくとも１つのグループにグループＩＤを付与する。
【０１１７】
グループＩＤ付与部４１３は、サービスサイト関連情報および年齢情報の少なくとも何れかを更に参照して各ユーザをグループ分けし、少なくとも１つのグループにグループＩＤを付与することが好ましい。また、グループＩＤ付与部４１３は、サービスサイト関連情報および年齢情報を更に参照して各ユーザをグループ分けし、少なくとも１つのグループにグループＩＤを付与することがより好ましい。
【０１１８】
グループＩＤ付与部４１３は、写真シール関連情報、サービスサイト関連情報、統計的情報、および年齢情報の少なくとも何れかの情報を参照して、機械学習により各ユーザをグループ分けし、少なくとも１つのグループにグループＩＤを付与してもよい。例えば、グループＩＤ付与部４１３は、写真シール関連情報を参照して、機械学習により、有料会員としてサービスサイトへの入会の見込みがあるグループと、見込みがないグループとにグループ分けし、少なくとも１つのグループにグループＩＤを付与してもよい。ここで、グループＩＤ付与部４１３が用いる機械学習として、上述した制御部４０１が用いる機械学習と同様の構成を採用することができる。ただし、機械学習の具体的構成は本実施形態を限定するものではない。なお、グループＩＤ付与部４１３は、少なくとも１つのグループにグループＩＤを付与すればよく、グループＩＤを付与されないグループがいてもよい。つまり、グループＩＤが付与されないユーザがいてもよい。
【０１１９】
グループＩＤ付与部４１３は、写真シール関連情報、サービスサイト関連情報、統計的情報、および年齢情報の少なくとも何れかの情報を参照して、一定のルールを設けて、各ユーザをグループ分けし、少なくとも１つのグループにグループＩＤを付与してもよい。
【０１２０】
具体的には、例えば、グループＩＤ付与部４１３は、直近（例えば、２か月以内）のシールの保存枚数が１枚以上であるグループと、シールの保存枚数が０枚であるグループとにグループ分けしてもよい。また、グループＩＤ付与部４１３は、所定期間（例えば、５年）以上シールを保存していないグループと、所定期間以内にシールを保存しているグループとにグループ分けしてもよい。グループＩＤ付与部４１３は、有料会員としてのサービスサイトへの現在までの入会件数が所定回数（例えば、１回）以下であるグループと、有料会員としてのサービスサイトへの現在までの入会件数が所定回数（例えば、２回）以上であるグループとにグループ分けしてもよい。また、グループＩＤ付与部４１３は、ユーザの年齢が１８歳以上であるグループと、ユーザの年齢が１８歳未満であるグループとにグループ分けしてもよい。
【０１２１】
グループＩＤ付与部４１３は、１つの情報を参照してグループ分けし、少なくとも１つのグループにグループＩＤを付与してもよく、複数の情報を参照してグループ分けし、少なくとも１つのグループにグループＩＤを付与してもよい。グループＩＤ付与部４１３は、少なくとも１つのグループに付与したグループＩＤ情報を、記憶部４０２に格納する。
【０１２２】
（表示要素作成部）
表示要素作成部４１４は、ユーザに対して提示するための、端末装置に表示する表示要素を作成する。表示要素作成部４１４は、作成した複数の表示要素を、記憶部４０２に格納する。
【０１２３】
表示要素としては、特に限定されないが、例えば、サービスサイトのアプリのインストールを促すためのインストールページ、サービスサイトのホームページのトップページ、サービスサイトの各種キャンペーンへの参加を促すためのキャンペーンページ等が挙げられる。
【０１２４】
（管理部）
管理部４１２は、第２の管理部として、グループＩＤと表示要素とを関連付けて管理する。第２の管理部は、グループＩＤと表示要素との関連付け情報を、記憶部４０２に格納する。
【０１２５】
なお、管理サーバ４は、グループＩＤ付与部４１３を含んでいなくてもよく、その場合、第２の管理部は、ユーザが属するグループに付与されたグループＩＤと表示要素とを関連付けて管理する。
【０１２６】
第２の管理部は、各グループＩＤと、各グループＩＤのグループに提供したい表示要素とを関連付ける。
【０１２７】
（表示要素切り替え部）
表示要素切り替え部４１５は、ユーザのグループＩＤに応じて、表示要素を切り替える。表示要素切り替え部４１５は、ユーザのグループＩＤに関連付けられた表示要素に切り替える旨の指令を、通信部４０３を介して、端末装置６に送信する。
【０１２８】
このように、管理サーバ４は、情報取得部４１１と、管理部４１２と、グループＩＤ付与部４１３と、表示要素作成部４１４と、表示要素切り替え部４１５とを備えていることにより、写真シール作成装置１から取得した写真シール関連情報を参照して特定されるユーザの傾向に応じて、ユーザに好適な表示要素に切り替えることができる。
【０１２９】
制御部４０１は、各ユーザのグループＩＤに関連付けられた表示要素に対応するＵＲＬをメールに記載して、各ユーザの端末装置６にメールを送信してもよい。また、制御部４０１は、各ユーザの端末装置６に、各ユーザのグループＩＤに関連付けられた表示要素をプッシュ通知してもよい。
【０１３０】
（通信制御部）
通信制御部は、通信部４０３による通信を制御する。
【０１３１】
（メール作成部）
メール作成部は、写真シール作成装置１で遊んだユーザのメールアドレス宛に送信されるメールを作成する。本実施形態では、メール作成部は、メールデータベース４２１に格納されているデータを用いて、通信制御部から入力されたメールアドレス宛に送信される、画像の保存を案内するメールを作成し、通信制御部に出力する。
【０１３２】
（ウェブページ作成部）
ウェブページ作成部は、端末装置６、または、写真シール作成装置１（後述する各種モニタ）に表示されるウェブページを作成する。本実施形態では、ウェブページ作成部は、ウェブページデータベース４２３に格納されているデータを用いて、端末装置６または写真シール作成装置１から受信したアクセス要求に応じたウェブページを作成し、通信制御部に出力する。詳細は後述するが、ウェブページ作成部は、ユーザの会員種別に応じたウェブページを作成する。
【０１３３】
なお、以下において「ページ」は、例えば、ウェブページのように、管理サーバ４が携帯端末等の端末装置６または写真シール作成装置１に送信して表示するためのデータを意味する。上記ページには、通常、テキストデータおよび画像データが含まれており、さらに、音声データおよび動画データが含まれていてもよい。
【０１３４】
（画像管理部）
画像管理部は、画像提供サイトを通じてユーザに提供される画像を管理する。本実施形態では、画像管理部は、写真シール作成装置１によって作成された画像のうち、ユーザによって指定された画像を画像データベース４２４に保存する。
【０１３５】
（認証部）
認証部は、写真シール作成装置１からユーザ認証の要求を受け付け、ユーザ認証を行うものである。認証部は、写真シール作成装置１が抽出した特徴量を、通信部４０３および通信制御部を介して受信する。認証部は、さらに詳しくは、照合部を含む。
【０１３６】
照合部は、会員データベース４２２に保存されている、ユーザの画像認証情報と、受信した特徴量とを照合する。
【０１３７】
ここで、特徴量と画像認証情報とが合致する場合、管理サーバ４は、ユーザ認証が成功した旨（および当該ユーザの会員情報）を制御部２０１の登録制御部（認証結果受信部）に送信する。一方、特徴量と画像認証情報とが合致しない場合、管理サーバ４は、ユーザ認証が失敗した旨を制御部２０１の登録制御部（認証結果受信部）に通知する。なお、管理サーバ４は、ユーザ認証に成功した場合、写真シール作成装置１に対し、画像提供サイトへのアクセスを許可してもよい。そして、写真シール作成装置１は、後述する自機の各種モニタを用いて、画像提供サイトの各種データをユーザが閲覧および編集可能にしてもよい。
【０１３８】
なお、ユーザ認証が所定の回数、失敗した場合は、通常の会員ＩＤおよびパスワードによる認証に切り替えてもよい。または、複数の種類の認証が可能である場合、他の認証方法に認証方法を切り替える操作を行って、当該他の認証方法で再度認証操作を継続してもよい。さらに、それらの認証によっても、認証が成功しなかった場合は、画像を削除する旨を別途入力されるメールアドレスの宛て先にメールで通知した上で、会員アカウントが所定期間使用されていない場合はサーバに保存されている画像を削除してもよい。
【０１３９】
ここで、画像認証情報は、上述のように管理サーバ４において、ユーザ認証の基準として用いられる情報である。一方、特徴量は、上述のように画像認証情報と照合し、照合結果（認証の可否）を得るための情報である。したがって、特徴量は、画像認証情報との照合結果の判定精度が落ちない程度の精度の情報であればよく、画像認証情報に比べ、算出精度を落とした情報であっても構わない。
【０１４０】
写真シール作成装置１から受信した特徴量と、画像認証情報とが合致する場合、認証部４１５は、画像認証情報に対応するユーザ特定情報をキーとして、会員データベース４２２を探索することにより、上記ユーザ特定情報が示すユーザの、会員情報を読み出す。そして、認証部は、認証成功を示す通知と、読み出した会員情報とを、通信制御部および通信部４０３を介して写真シール作成装置１へと送信する。
【０１４１】
（記憶部４０２の詳細）
図１に示すように、記憶部４０２は、メールデータベース４２１、会員データベース４２２、ウェブページデータベース４２３、および画像データベース４２４を含む。記憶部４０２は、写真シール関連情報、表示要素、ユーザ情報、グループＩＤ付与情報、ユーザ情報とグループＩＤとの関連付け情報、グループＩＤと表示要素との関連付け情報等を記憶する部分である。記憶部４０２は、例えば、ＨＤＤ（Hard Disk Drive）、ＳＳＤ（Solid State Drive）等である。
【０１４２】
（メールデータベース４２１）
メールデータベース４２１は、ユーザに送信するメールを作成するための各種データを格納している。
【０１４３】
（会員データベース４２２）
会員データベース４２２は、画像提供サイトの会員であるユーザに関する各種情報（会員情報）を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１４４】
（ウェブページデータベース４２３）
ウェブページデータベース４２３は、端末装置６または写真シール作成装置１（後述する各種モニタ）に表示される画像提供サイトのウェブページを作成するための各種データを格納している。
【０１４５】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１４６】
図示はしないが、記憶部４０２は、写真シール作成装置１から受信した画像などのデータを一時的に保存する一時保存データベースも有している。
【０１４７】
（通信部４０３の詳細）
本実施形態では、写真シール作成装置１および端末装置６が、通信部４０３の通信相手である。通信部４０３は、通信制御部の制御を受けることによって、他の装置からデータを受信したり、他の装置にデータを送信したりする。
【０１４８】
（端末装置６）
端末装置６は、ユーザが所持する通信端末である。端末装置６は、例えば、スマートフォン、タブレット端末、ＰＣ等である。図１に示すように、端末装置６は、主に、制御部６０１、表示部６０２、および通信部６０３を備えている。端末装置６は、図示しないが、記憶部および入力部をさらに備えていてもよい。制御部６０１は、端末装置６に備えられる各部材を統括制御する。表示部６０２は、液晶表示装置などの、情報を表示するための装置である。表示部６０２は、ＬＣＤ（Liquid Crystal Display）等であってよい。表示部６０２は、ユーザのグループＩＤに関連付けられた表示要素等の各種の表示要素を表示する。端末装置６は、撮影画像管理システム１０を構成する他の装置と通信する。通信部６０３は、管理サーバ４の通信部４０３から、ユーザのグループＩＤに関連付けられた表示要素に切り替える旨の指令を受信する。記憶部は、端末装置６において使用される各種データを記憶する。入力部は、タッチパネルなどの、ユーザが端末装置６に情報を入力するための装置である。
【０１４９】
（制御部６０１の詳細）
図１に示すように、制御部６０１は、表示制御部６１１を備えている。制御部６０１は、図示しないが、通信制御部、および入力制御部を更に備えていてもよい。
【０１５０】
表示制御部６１１は、表示部６０２における情報表示を制御する。例えば、通信制御部から入力されたウェブページを表示制御部６１１が表示部６０２に出力することによって、当該ウェブページを表示部６０２に表示させることができる。表示制御部６１１は、通信部６０３を介して受信した管理サーバ４の通信部４０３から、ユーザのグループＩＤに関連付けられた表示要素を表示するように表示部６０２を制御する。通信制御部は、通信部６０３による通信を制御する。入力制御部は、入力部における情報入力を制御する。
【０１５１】
（グループＩＤ、およびグループＩＤに応じて切り替えられる表示要素の例）
以下、図１１および図１２を参照して、各情報、各情報を参照して付与されるグループＩＤ、およびグループＩＤに応じて切り替えられる表示要素を例示する。
【０１５２】
図１１は、本発明の第１実施形態に係る写真シール作成装置１から取得される写真シール関連情報、サービスサイト関連情報、年齢情報、およびグループＩＤの一例を示す表である。
【０１５３】
図１２の（ａ）および（ｂ）は、グループＩＤである入会フラグに応じて切り替えられる表示要素の一例を示す図である。図１２の（ａ）は、有料会員としてサービスサイトへの入会の見込みがないユーザ向けの表示要素である。具体的には、図１２の（ａ）は、サービスサイトのアプリのインストールを促すためのインストールページである。図１２の（ｂ）は、有料会員としてサービスサイトへの入会の見込みがあるユーザ向けの表示要素である。具体的には、図１２の（ｂ）は、サービスサイトのホームページのトップページである。
【０１５４】
図１１における「アカウントＩＤ」とは、ユーザ情報の一例であり、ユーザごとに一意に割り振られた数字である。
【０１５５】
図１１における「年齢」とは、ユーザ情報の一例であり、ユーザの現在の年齢である。
【０１５６】
図１１における「サービスサイトへの訪問頻度」は、ユーザ情報の一例であり、サービスサイトへの訪問頻度に記載の数値は、サービスサイトへの訪問頻度を数値化したものであり、例えば、１〜４の整数を取り得る。数値が小さいほど、サービスサイトへの訪問頻度が高いことを示す。
【０１５７】
図１１における「シール保存枚数合計」とは、写真シール作成装置関連情報の一例であり、現在までにシールを保存した枚数の累計である。
【０１５８】
図１１における「１か月前のシール保存枚数」とは、写真シール作成装置関連情報の一例であり、現在の前の月にシールを保存した枚数である。
【０１５９】
図１１における「当月のシール保存枚数」とは、写真シール作成装置関連情報の一例であり、当月にシールを保存した枚数である。
【０１６０】
図１１における「会員登録からの経過日数」とは、ユーザ情報の一例であり、ユーザが無料会員としてサービスサイトの会員登録をした日から現在までの経過日数である。それゆえ、会員登録からの経過日数が０であるユーザは、サービスサイトの会員登録をしていないユーザであり、会員登録からの経過日数は、ユーザがサービスサイトの会員登録をしているか否かも示す指標ともなっている。
【０１６１】
図１１における「会員登録からのサービスサイトへの訪問日数」とは、ユーザ情報の一例であり、ユーザが無料会員としてサービスサイトの会員登録をした日から現在までの、サービスサイトへの訪問日数である。会員登録からの経過日数が０であるユーザ、すなわち、サービスサイトの会員登録をしていないユーザは、サービスサイトへ１日以上訪問していたとしても、会員登録からのサービスサイトへの訪問日数は０となる。
【０１６２】
図１１における「１か月前のサービスサイトへの訪問回数」とは、ユーザ情報の一例であり、現在の前の月に、サービスサイトへ訪問した回数である。
【０１６３】
図１１における「過去の入会件数」とは、ユーザが過去に無料会員としてサービスサイトの会員登録をした回数である。現在は会員登録をしており、過去に会員登録をしたことがない、すなわち、会員登録してから１度も退会したことがない場合、過去の入会件数は０となる。
【０１６４】
図１１における「入会フラグ」とは、図１１に示した他の少なくとも何れかの指標を入力とする機械学習によって、グループＩＤ付与部４１３によって導出されるものである。グループＩＤ付与部４１３は、他の少なくとも何れかの指標を参照して、有料会員としてサービスサイトへの入会の見込みがあるグループと、有料会員としてサービスサイトへの入会の見込みがないグループとにグループ分けする。グループＩＤ付与部４１３は、有料会員としてサービスサイトへの入会の見込みがあるグループには、グループＩＤ「１」を付与し、有料会員としてサービスサイトへの入会の見込みがないグループには、グループＩＤ「０」を付与する。
【０１６５】
入会フラグの値が０である場合、表示要素切り替え部４１５は、図１２の（ａ）に示す表示要素に切り替える。入会フラグの値が１である場合、表示要素切り替え部４１５は、図１２の（ｂ）に示す表示要素に切り替える。
【０１６６】
これにより、有料会員としてサービスサイトへの入会の見込みがないユーザに対して、サービスサイトのアプリのインストールを促すことができる。また、有料会員としてサービスサイトへの入会の見込みがあるユーザに対しては、サービスサイトのホームページのトップページから、有料会員としての会員登録を促すことができる。
【０１６７】
（管理サーバの処理例）
図１３は、本発明の第１実施形態に係る管理サーバ４の制御部４０１における、情報取得処理から表示要素切り替え処理の流れの一例を示すフローチャートである。
【０１６８】
まず、管理サーバ４の使用を開始し、ステップ（以下、「ステップ」は省略する）Ｓ１１およびＳ１４に進む。
【０１６９】
Ｓ１１では、情報取得部４１１が、写真シール関連情報を取得する。処理の詳細は、（情報取得部）に記載の通りである。情報取得部４１１は、取得した写真シール関連情報を第１の管理部に送信し、Ｓ１２に進む。
【０１７０】
Ｓ１２では、第１の管理部が、写真シール関連情報をユーザ情報に関連付けて記憶部４０２に格納し、Ｓ１３に進む。処理の詳細は、（管理部）に記載の通りである。
【０１７１】
Ｓ１３では、グループＩＤ付与部４１３が、記憶部４０２に格納された写真シール関連情報を含む情報を参照して各ユーザをグループ分けし、少なくとも１つのグループにグループＩＤを付与し、Ｓ１５の処理に進む。処理の詳細は、（グループＩＤ付与部）に記載の通りである。
【０１７２】
Ｓ１４では、表示要素作成部４１４が、表示要素を作成し、Ｓ１５の処理に進む。処理の詳細は、（表示要素作成部）に記載の通りである。
【０１７３】
Ｓ１５では、第２の管理部が、グループＩＤと表示要素とを関連付けて記憶部４０２に格納し、Ｓ１６に進む。処理の詳細は、（管理部）に記載の通りである。
【０１７４】
Ｓ１６では、表示要素切り替え部４１５が、ユーザのグループＩＤに応じて、表示要素を切り替える。処理の詳細は、（表示要素切り替え部）に記載の通りである。
【０１７５】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１７６】
図１４は、本発明の第２実施形態に係る撮影画像管理システム１０の要部構成を示すブロック図である。
【０１７７】
本実施形態に係る撮影画像管理システム１０は、管理サーバ４が表示要素切り替え部４１５を備えていない替わりに、端末装置６の制御部６０１がグループＩＤ取得部６１２と、表示要素取得部６１３と、表示要素切り替え部６１４とを更に備えている。
【０１７８】
グループＩＤ取得部６１２は、ユーザが属するグループに付与されたグループＩＤを取得する。具体的には、グループＩＤ取得部６１２は、管理サーバ４から、通信部６０３を介して、管理サーバ４の制御部４０１のグループＩＤ付与部４１３で付与されたグループＩＤを取得する。
【０１７９】
表示要素取得部６１３は、グループＩＤと関連付けられた表示要素を取得する。具体的には、表示要素取得部６１３は、管理サーバ４から、通信部６０３を介して、管理サーバ４の制御部４０１の管理部４１２で関連付けされたグループＩＤと表示要素との関連付け情報を取得する。
【０１８０】
端末装置６の表示要素切り替え部６１４は、管理サーバ４の表示要素切り替え部４１５と同様の機能を有する。
【０１８１】
以上のような構成であっても、実施形態１と同様に、写真シール作成装置１から取得した写真シール関連情報を参照して特定されるユーザの傾向に応じて、ユーザに好適な表示要素に切り替えることができる。
【０１８２】
〔ソフトウェアによる実現例〕
管理サーバ４の制御ブロックおよび端末装置６の制御ブロック（特に制御部４０１および制御部６０１）は、集積回路（ＩＣチップ）等に形成された論理回路（ハードウェア）によって実現してもよいし、ソフトウェアによって実現してもよい。
【０１８３】
後者の場合、管理サーバ４および端末装置６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８５】
１  写真シール作成装置
４  管理サーバ（情報処理装置）
６  端末装置
１０  撮影画像管理システム
４１３  グループＩＤ付与部
４１５  表示要素切り替え部
【図１】
2020013421.tif 000003
【図２】
2020013421.tif 000004
【図３】
2020013421.tif 000005
【図４】
2020013421.tif 000006
【図５】
2020013421.tif 000007
【図６】
2020013421.tif 000008
【図７】
2020013421.tif 000009
【図８】
2020013421.tif 000010
【図９】
2020013421.tif 000011
【図１０】
2020013421.tif 000012
【図１１】
2020013421.tif 000013
【図１２】
2020013421.tif 000014
【図１３】
2020013421.tif 000015
【図１４】
2020013421.tif 000016